(57)【要約】【課題】既存の多種多様な機能を有して機器自体が所定の大きさを有するものの、実際に治療をする場合に機器の一部を持ち歩くだけで円滑に低周波治療が行える低周波治療器を提供する。【解決手段】治療用信号生成手段を有する子機２とこの子機２を収納する親機１とからなり、親機１がマッサージ情報を登録し、当該マッサージ情報を子機２に転送し、子機２はこのマッサージ情報に基づいて動作しているので、持ち運びに便利な子機２のみ独立して動作できると共に、所望のマッサージ情報を親機１に登録して親機１がこのマッサージ情報を子機２に転送し、子機２がこのマッサージ情報に基づいて動作するという親機１と子機２とが連携して高機能な機能を実現することができる。【選択図】  図１
2004215735.tif 000002
【特許請求の範囲】
【請求項１】
低周波を発生する治療用信号生成手段を有する少なくとも１台の子機と当該子機を収納する親機とを備える低周波治療器において、
前記子機に患部に当接することで低周波を患部に伝えるパッドが接続され、
前記親機は、子機が発生する治療用信号を特定するマッサージ情報を登録し、当該マッサージ情報を子機に転送し、
前記子機は、親機から転送されるマッサージ情報に基づいて、親機に収納された状態で及び／又は親機に収納されず分離した状態で治療用信号生成手段により治療用信号を発生させ、前記パッドを介して低周波を患部に伝えることを
特徴とする低周波治療器。
【請求項２】
前記請求項１に記載の低周波治療器において、
前記親機に前記治療用信号生成手段を備え、
前記パッドを当該親機に接続し、
前記親機が治療用信号生成手段により治療用信号を発生させ、当該パッドを介して患部に低周波を伝えることを
特徴とする低周波治療器。
【請求項３】
前記請求項１または２に記載の低周波治療器において、
前記親機が前記マッサージ情報を子機毎に登録することを
特徴とする低周波治療器。
【請求項４】
前記請求項１ないし３に記載の低周波治療器において、
前記親機に子機が収納される度に最新のマッサージ情報を子機に転送することを
特徴とする低周波治療器。
【請求項５】
前記請求項１ないし４に記載の低周波治療器において、
前記親機が子機毎に任意に識別子を付与し、
前記各子機が当該識別子を表示することを
特徴とする低周波治療器。
【発明の詳細な説明】
【０００１】
【発明の属する技術分野】
本発明は、低周波を発生する低周波治療器に関し、特に、低周波を発生する子機と当該子機を収納する親機とからなる低周波治療器に関する。
【０００２】
【従来の技術】
従来の低周波治療器としては、特許第３０９９０１４号公報に開示されるものがあり、以下図７または図８に基づいて説明する。図７は従来の低周波治療器の機能ブロック図、図８は従来の低周波治療器の全体斜視図を示す。
【０００３】
この従来の低周波治療器は、治療信号１３０を発生する信号発生手段１２１ｇと、当該信号発生手段１２１ｇの入力側に繋がれ、電源１１６ａの投入と同時に受け付け可能となる出力制御用スイッチ１３１と、該スイッチ１３１の操作状態を記憶する手段１１６ｃと、出力制御用スイッチ１３１の操作パターンの記憶時期を規制する規制手段１３２とを備え、前記信号発生手段１２１ｇが前記出力制御用スイッチ１３１の操作と連動し、当該スイッチ１３１の操作状態に対応した治療用信号１３０を発生する一方、前記規制手段１３２の実行と連動し、当該規制手段１３２の実行前の所定期間内における出力制御用スイッチ１３１の操作パターンが記憶手段１１６ｃに固定され、信号発生手段１２１ｇが記憶手段１１６ｃに記憶されたパターンに従った治療用信号１３０を出力する構成である。
【０００４】
このような従来の低周波治療器によれば、使用者の最適の治療用信号１３０が得られると共に、電源１１６ａの投入と同時に、記憶手段１１６ｃに使用者が意識することなく自動的に出力制御用スイッチ１３１で作成した波形が記憶され、記憶時期の規制手段１３２の実行により実行前のパターンが記憶固定されるので、通常の治療時に作成した波形が好みの波形で繰り返し使用したいと感じた段階で過去に遡って所定期間の波形を繰り返し出力可能となり、好み波形の登録チャンスを逸することがなくなる。
【０００５】
【特許文献１】特許第３０９９０１４号公報
【０００６】
【発明が解決しようとする課題】
前記従来の低周波治療器は以上のように構成され、基本的に、１台の低周波治療器に全ての機能を詰め込み機器が大型となり、また、これからも多種多様な機能が付加されていく趨勢を考え合わせると機器の肥大化は進んでいくため、持ち運びに不便であるという課題を有し、また、同様の理由で使用者が機器の設置場所まで出向いて治療を行い面倒であるという課題を有する。
【０００７】
本発明は前記課題を解決する為になされたもので、既存の多種多様な機能を有して機器自体が所定の大きさを有するものの、実際に治療をする場合に機器の一部を持ち歩くだけで円滑に低周波治療が行える低周波治療器を提供することを目的とする。
【０００８】
【課題を解決するための手段】
本発明に係る低周波治療器は、低周波を発生する治療用信号生成手段を有する少なくとも１台の子機と当該子機を収納する親機とを備える低周波治療器において、前記子機に患部に当接することで低周波を患部に伝えるパッドが接続され、前記親機は、子機が発生する治療用信号を特定するマッサージ情報を登録し、当該マッサージ情報を子機に転送し、前記子機は、親機から転送されるマッサージ情報に基づいて、親機に収納された状態で及び／又は親機に収納されず分離した状態で治療用信号生成手段により治療用信号を発生させ、前記パッドを介して低周波を患部に伝えるものである。このように本発明においては、治療用信号生成手段を有する子機とこの子機を収納する親機とからなり、親機がマッサージ情報を登録し、当該マッサージ情報を子機に転送し、子機はこのマッサージ情報に基づいて動作しているので、持ち運びに便利な子機のみ独立して動作できると共に、所望のマッサージ情報を親機に登録して親機がこのマッサージ情報を子機に転送し、子機がこのマッサージ情報に基づいて動作するという親機と子機とが連携して高機能な機能を実現することができる。
【０００９】
また、本発明に係る低周波治療器は必要に応じて、前記親機に前記治療用信号生成手段を備え、前記パッドを当該親機に接続し、前記親機が治療用信号生成手段により治療用信号を発生させ、当該パッドを介して患部に低周波を伝えるものである。このように本発明においては、子機のみでなく親機も治療用信号生成手段を有して低周波を発生できるので、子機のようにバッテリの残量を気にしながら使用するということなしに使用できると共に、既にあるマッサージ情報で動作していたとしてもマッサージ情報を変更しながら使用でき、容易に自分に最適なマッサージ情報を登録することができる。
【００１０】
また、本発明に係る低周波治療器は必要に応じて、前記親機が前記マッサージ情報を子機毎に登録するものである。このように本発明においては、親機が子機毎にマッサージ情報を登録するので、使用者毎にマッサージ情報を登録して使用する場合に自分のマッサージ情報に基づいて動作させる以外に、複数の子機がある場合に同時に子機を使用する場合にそれぞれの子機にそれぞれの使用者のマッサージ情報を転送することができ、同時に異なる子機毎に異なる動作をさせることができ、使用者それぞれに最適な低周波を提供することができる。また、子機の転送したマッサージ情報が消失した場合にも、親機に子機毎のマッサージ情報が登録されているので、マッサージ情報を消失した子機に対して再びマッサージ情報を転送することができる。
【００１１】
また、本発明に係る低周波治療器は必要に応じて、前記親機に子機が収納される度に最新のマッサージ情報を子機に転送するものである。このように本発明においては、親機に子機が収納される度に親機に登録されているマッサージ情報を子機に転送しているので、子機が親機に収納していない状態で親機にマッサージ情報を登録しても子機が収納されると自動的に現在親機に登録しているマッサージ情報が子機に転送され、必ず最新のマッサージ情報で子機が動作することができる。
【００１２】
また、本発明に係る低周波治療器は必要に応じて、前記親機が子機毎に任意に識別子を付与し、前記各子機が当該識別子を表示するものである。このように本発明においては、あるタイミングで親機が子機それぞれに識別子を付与し、子機が当該識別子を表示しているので、固定的に子機がどの子機であるかということを使用者が意識することなく、複数の子機がある場合に特定の使用者が特定の子機を使用するだけでなく、どの子機を使用しても使用者毎のマッサージ情報に基づいて動作できる共に、現在どの子機にどのマッサージ情報が転送されているのかを使用者に対して明示することができる。
【００１３】
【発明の実施の形態】
（本発明の第１の実施形態）
本発明の第１の実施形態に係る低周波治療器について、図１または図２に基づいて説明する。図１は本実施形態に係る低周波治療器の外形斜視図、図２は本実施形態に係る低周波治療器の機能ブロック図である。
本実施形態に係る低周波治療器は、図１に示すように、開閉可能なノートブック形態であって閉じた状態で薄型矩形となる外形を有し、低周波を発生する治療用信号生成手段を有する２台の子機２とこの子機２を収納する親機１とからなる構成である。
【００１４】
子機２は、持ち運び便利なハンディサイズの大きさと誰の手にも満遍なくフィットする形態を有し、動作モードを変更したり、強弱を指定したりするための各種操作用スイッチ２１ａ、複数コースの内現在どのコースで動作中であるかを示す複数ＬＥＤランプ２１ｂ、内部にバッテリ等の子機電気機器部２１ｃ及びヒータ２１ｈを備える子機本体２１と、使用者が患部に当接し、電気振動を伝える取り外し式パッド２２と、この取り外し式パッド２２と前記子機本体２１を接続して子機本体２１からの電気を取り外し式パッド２２に伝える接続コード２３とからなり、前記親機１から転送されたマッサージ情報に基づいて、親機１に収納された状態で、又は、親機１から分離した状態で低周波を発生させるものである。
【００１５】
親機１は、子機２を構成する子機本体２１、接続コード２３及び取り外しパッド２２をそれぞれ収納する子機収納部１１、接続コード収納ポケット１３及び取り外し式パッドホルダー１２と、使用者にマッサージ情報等の各種情報を示す大型液晶１４と、マッサージ情報の指定、患部の指定及び電流の強弱の調整等を指示するための各種スイッチ類１５と、バッテリ等の親機電気機器部１６と、使用者に対して音を発するブザー１７とからなり、子機２が発生する治療用信号を特定するマッサージ情報を登録し、収納されている子機２に対して当該マッサージ情報を転送するものである。
【００１６】
子機電気機器部２１ｃは、電気を蓄えるバッテリ２１ｄと、操作用スイッチ２１ａからの指示により動作変更を実行すると共に、親機１から転送されるマッサージ情報を受け取りこのマッサージ情報に基づいて動作するために制御する子機制御部２１ｅと、親機１から転送されたマッサージ情報等の情報を格納する子機記録部２１ｆと、パルスを発生させる治療用信号生成手段としてのパルス発生回路２１ｇを備えるものである。
【００１７】
親機電気機器部１６は、家庭用交流電力を本低周波治療器に応じた電圧及び電流に変換して供給する電源１６ａと、大型液晶１４に対する表示制御を行い、スイッチ類１５からの指示によりマッサージ情報の変更を実行すると共に、収納した子機２に対してマッサージ情報を転送する制御部１６ｂと、登録されたマッサージ情報等の情報を格納する記録部１６ｃと、子機２とマッサージ情報等を送出する通信部１６ｄと、前記電源１６ａからの電力を子機２に供給する充電回路１６ｅを備えるものである。
【００１８】
本実施形態に係る低周波治療器の動作について説明する。子機本体２１、取り外し式パッド２２及び接続コード２３を、それぞれ子機収納部１１、取り外し式パッドホルダー１２及び接続コード収納ポケット１３に収納した状態で、電源１６ａへ電力を供給する。供給された電力を収納している子機２に応じた電圧及び電流に変換して充電回路１６ｅを介して子機２に供給する。子機２は、この供給された電力をバッテリ２１ｄに蓄える。
【００１９】
使用者が手動により使用する（以下、基本使用動作とする）場合は、まず、子機収納部１１、取り外し式パッドホルダー１２及び接続コード収納ポケット１３から、それぞれ子機本体２１、取り外し式パッド２２及び接続コード２３を取り出し、取り外し式パッド２２と接続コード２３の一端とを接続し、続けて、この接続コード２３の他端と子機本体２１とを接続する。子機２の組立てが完了した後に、取り外し式パッド２２を患部に当接して、スイッチ類２１ａを操作することで、バッテリ２１ｄからの電力を使用しながら、子機制御部２１ｅがこの操作に応じたパルスをパルス発生２１ｇから発生させ、接続コード２３を介して取り外し式パッド２２から低周波を発生させる。詳細には、使用者のスイッチ類２１ａの操作により、バッテリ２１ｄから供給される所定電圧を昇圧回路を用いて昇圧し、又は、パルス幅若しくはパルス形を変えて接続コード２３を介して取り外し式パッド２２に治療用信号として出力し、この治療用信号により取り外し式パッド２２の周辺皮膚表面に低周波電流が流れる。
【００２０】
使用者が手動により親機１に既存のマッサージ情報ではない使用者独自の使用者マッサージ情報を登録して使用する場合は、子機収納部１１に子機２を収納し、この状態で使用者は自分が登録したい使用者マッサージ情報をスイッチ類１５を操作しながら、親機１に指示する。親機１は、使用者からの指示をスイッチ類１５を介して入力され、前記制御部１６ｂがこの指示を使用者マッサージ情報として記録部１６ｃに登録する。この使用者マッサージ情報は、前記記録部１６ｃ以外にも子機２の子機記録部２１ｆにも通信部１６ｄを介して子機制御部２１ｅにより登録される。具体的には、予め複数マッサージ情報（おす、もむ、たたく、さする等）及びその強弱等が用意されており、これらのコース及び強弱等を組み合わせて使用者マッサージ情報として使用者がスイッチ類１５を操作して入力することで登録される。また、実際に手動で使用している場合に所定期間の操作を記録しておき、この記録していた操作をそのまま使用者マッサージ情報として登録することもできる。
【００２１】
前述した基本使用動作の他に、この登録した使用者マッサージ情報に基づいて以下のように動作することもできる。前記基本使用動作と同様に、子機２を組立てた後、取り外しパッドホルダー１２を患部に当接して、スイッチ類２１ａの中から特定のスイッチを押下することで、子機制御部１２ｅが子機記録部２１ｆに登録している使用者マッサージ情報を読み出し、この読み出した使用者マッサージ情報に応じた治療用信号をパルス発生回路２１ｇから発生させ、接続コード２３を介して取り外し式パッド２２から皮膚表面に低周波を発生させる。
【００２２】
このように本実施形態に係る低周波治療器によれば、持ち運びに適していないい低周波治療器を、親機１と２台の子機２とから構成し、使用する場合に、子機２を構成する子機本体２１、取り外し式パッド２２及び接続コード２３を取り出して組立て、取り外し式パッド２２を患部に当接し、スイッチ類２１ａを操作して子機２が動作させることで、患部に低周波を発生させるので、親機１に比べて十分持ち運びが容易で、操作し易い形態を有する子機２のみを取り出して使用することができると共に、所望の使用者マッサージ情報を登録してこの使用者マッサージ情報に基づいて低周波を発生させる高機能な機能を提供することできる。
【００２３】
なお、本実施形態に係る低周波治療器において、子機２の子機本体２１を子機収納部１１に収納した状態で、接続コード２３の一端を子機本体２１に接続し、接続コード２３の他端を取り外し式パッド２２に接続して使用することもできる。
また、本実施形態に係る低周波治療器において、子機２の子機本体２１を子機収納部１１に収納した状態でマッサージ情報を転送していたが、子機本体２１、取り外し式パッド２２及び接続コード２３を取り出して子機２組立てた状態でも、無線通信によりマッサージ情報を親機１から子機２に転送することもできる。
【００２４】
（本発明の第２の実施形態）
本発明の第２の実施形態に係る低周波治療器について説明する。本実施形態に係る低周波治療器は、前記第１の実施形態に係る低周波治療器と同様に構成され、親機１が子機２毎に使用者マッサージ情報を登録し、及び、前記親機１が任意のタイミングで子機収納部１１に基づいて子機２毎に識別子を付与し、前記それぞれの子機２が識別子を表示することを異にする構成である。さらに、説明の便宜上、子機２を１台増やし３台とする。
【００２５】
前記親機１は、記録部１６ｃの一部分を子機２の個数分に区分けして子機区分登録領域として使用し、各子機区分登録領域に子機２毎の使用者マッサージ情報を前記第１の実施形態で使用者マッサージ情報を登録した手順と同様の手順で登録する。登録することで、各子機区分登録領域に使用者マッサージ情報が登録された状態となる。
【００２６】
また、前記親機１は、現在子機２が収納されている子機収納部１１に基づいて識別子を付与し、子機２はその識別子を表示する。例えば、親機１に収納する前に、３台の子機２がそれぞれＡ、Ｂ、Ｃと識別子を付与されており、この識別子に対応して子機収納部１１も上からＡ、Ｂ、Ｃとされていた場合に、Ａの子機２を使用していた使用者がＢの子機収納部１１に収納し、Ｂの子機２を使用していた使用者がＣの子機収納部１１に収納し、Ｃの子機２を使用していた使用者がＡの子機収納部１１に収納した時、親機１は各子機２を子機収納部１１に応じてＡの子機２をＢの子機２に識別子を変更し、同様にＢの子機２をＣの子機２に識別子を変更し、Ｃの子機２をＡの子機２に識別子を変更する。このように識別子を付与し直すことで、使用者が再び子機収納部１１から取り出した場合に子機収納部１１に応じた子機２を取り出すこととなる。なお、必ずしも子機収納部１１に応じて識別子を変更する必要も無く、識別子が付与された各子機２の動作中であっても各子機２に任意の識別子を付与することもできる。例えば、使用者毎の識別子を付与することもできる。ここで、子機２での識別子の表示は、識別子の文字等が子機２に複数付され、この識別子毎にＬＥＤランプが用意されている場合には、該当する識別子に対応するＬＥＤランプが点灯することで行われる。他の方法としては、子機２自体に液晶表示を設け、この液晶表示に識別子を表示することで行うこともでき、使用者が識別子を認識できる方法であればよく、例示したものに限定されない。
【００２７】
次に、本実施形態に係る低周波治療器の動作について説明する。親機１に３台の子機２（Ａの子機、Ｂの子機、Ｃの子機）が各子機収納部１１（Ａの子機収納部、Ｂの子機収納部、Ｃの子機収納部）に格納されている。この状態で、Ａという使用者、Ｂという使用者、Ｃという使用者がそれぞれ前記第１の実施形態と同様の手順によりＡの使用者マッサージ情報、Ｂの使用者マッサージ情報、Ｃの使用者マッサージ情報を親機１に登録する。親機１は、Ａの使用者マッサージ情報をＡの子機収納部１１に収納されているＡの子機２に転送し、Ｂの使用者マッサージ情報をＢの子機収納部１１に収納されているＢの子機２に転送し、Ｃの使用者マッサージ情報をＣの子機収納部１１に収納されているＣの子機２に転送する。Ａという使用者はＡの子機収納部１１からＡの子機本体２１を取り出して接続コード２３及び取り外し式パッド２２と組立てて患部に当接し動作させ、Ｂという使用者はＢの子機収納部１１からＢの子機本体２１を取り出して接続コード２３及び取り外し式パッド２２と組立てて患部に当接し動作させ、Ｃという使用者はＣの子機収納部１１からＣの子機本体２１を取り出して接続コード２３及び取り外し式パッド２２と組立てて患部に当接し動作させた。各使用者は、自分が登録した使用者マッサージ情報により所望の低周波を患部に受けることができる。
【００２８】
使用が終わった子機２を、Ａという使用者はＡの子機本体２１をＢの子機収納部１１に収納して今日のＡの子機の動作からＡの使用者マッサージ情報を変更し、Ｂという使用者はＢの子機本体２１をＣの子機収納部１１に収納して今日のＢの子機の動作からＢの使用者マッサージ情報を変更し、Ｃという使用者はＣの子機本体２１をＡの子機収納部１１に収納して今日のＣの子機の動作からＣの使用者マッサージ情報を変更した。親機１の制御部１６ｂは、Ａの使用者マッサージ情報をＡの子機区分登録領域に登録し、Ｂの使用者マッサージ情報をＢの子機区分登録領域に登録し、Ｃの使用者マッサージ情報をＣの子機区分登録領域に登録した。本低周波治療器を終了させ、電源を落とした。
【００２９】
そして、再びＡ、Ｂ、Ｃの各使用者は治療を行うために、本低周波治療器の電源を入れた。電源を入れると同時に、親機１は各子機２を子機収納部１１に応じてＡの子機２をＢの子機２に識別子を変更し、同様にＢの子機２をＣの子機２に識別子を変更し、Ｃの子機２をＡの子機２に識別子を変更する。さらに、記録部１６ｃのＡの子機区分登録領域に登録されている使用者マッサージ情報を識別子が変更したＡの子機２に転送し、Ｂの子機区分登録領域に登録されている使用者マッサージ情報を識別子が変更したＢの子機２に転送し、Ｃの子機区分登録領域に登録されている使用者マッサージ情報を識別子が変更したＣの子機２に転送した。そして、子機２はそれぞれ付与された識別子を表示した。
【００３０】
このように本実施形態に係る低周波治療器によれば、親機１が子機２毎に使用者マッサージ情報を登録し、前記親機１が任意のタイミングで子機収納部１１に基づいて子機２毎に識別子を付与し、付与された識別子を各子機２が表示するので、固定的に識別子が付与されている場合と比べて識別子と対応しない子機収納部１１に収納することもでき、また、付与された識別子を各子機２が表示することで、誤ってある使用者が他の使用者の登録した使用者マッサージ情報を使用することがなく、円滑に低周波治療を行うことができる。
【００３１】
なお、本実施形態に係る低周波治療器において、子機収納部１１に基づいて識別子を子機２に付与しているが、使用者がスイッチ類１５を操作して指定した子機２に指定した識別子を付与することもできる。
また、本実施形態に係る低周波治療器において、子機収納部１１に基づいて識別子を子機２に付与しているが、使用者がスイッチ類１５を操作して同一の識別子を全ての子機２に識別子を付与することもでき、同一のマイコースを複数の使用者で同時に共有して使用することもできる。
【００３２】
【実施例】
以下、実施例について（特に使用者による各種スイッチ類１５の操作方法について）図３に基づいて説明する。本実施形態に係る低周波治療器は、図３に示す通り、大型液晶１４とスイッチ類１５とが一体型となった操作部１８を有し、親機１を構成する子機収納部１１、取り外し式パッドホルダー１２、接続コード収納ポケット１３等はこの操作部１８の下方若しくは上部に備えられている構成である。前記操作部１８のスイッチ部１５は、予め登録されている既存マッサージ情報を指令入力する自動コーススイッチ１５１と、使用者がマッサージ情報を作成するために各種マッサージ動作を指令入力する個別選択スイッチ１５２と、Ａの子機及びＢの子機における各々のマッサージ動作の強度を指令入力する強度スイッチ１５３、１５４とを備える構成である。
【００３３】
使用者は、親機１の図示を省略するスイッチを投入して、電源１６ａを入れる。電源１６ａが入ると大型液晶１４が動作し初期画面を表示する。初期画面は、各種実行可能な既存マッサージ情報が表示され、これら既存マッサージ情報以外に使用者自ら作成することができる使用者マッサージ情報も表示されている。
【００３４】
既存マッサージ情報には、例えば図３に示す各種ボタンからも明らかなように、肩コース（ボタンでは肩コースボタン１５１ａ）、腰コース（ボタンでは腰コースボタン１５１ｂ）、手足コース（ボタンでは手足コースボタン１５１ｃ）、関節コース（ボタンでは関節コースボタン１５１ｄ）及び足裏コース（ボタンでは肩コースボタン１５１ｅ）の自動コース部１５１があり、更に、これらの自動コース部１５１のたたきコース（ボタンではたたきコースボタン１５１ｆ）、もみコース（ボタンではもみコースボタン１５１ｇ）及び押しコース（ボタンでは押しコースボタン１５１ｈ）の小コースがある。つまり、大コースを肩コースで小コースをたたきコースとして選択した場合、たたき型肩コースの既存マッサージ情報に基づくマッサージ動作が実施されることとなる。
【００３５】
前記マッサージ情報は、操作部１８の個別選択スイッチ部１５２中の各種スイッチ部１５２ａ〜１５２ｎを用いて使用者が作成することができる。この個別選択スイッチ部１５２は、たたきボタン１５２ａ、もみボタン１５２ｂ、押しボタン１５２ｃ、バイブボタン１５２ｄ、ウェーブボタン１５２ｅ、ポイント／ワイドボタン１５２ｆ、ソフトボタン１５２ｇ、１２００Ｈｚボタン１５２ｈ、三角矢印上ボタン１５２ｉ、三角矢印下ボタン１５２ｊ、ペンタパルスボタン１５２ｋ、うなり周波数ボタン１５２ｌ、マッサージ情報部１５２ｍ及び子機設定部１５２ｎとからなる。以下、各ボタンを説明する。
【００３６】
前記たたきボタン１５２ａはたたきとなる波形（図４（ａ）を参照、同図（ａ）´は同図（ａ）の円で特定した部分の拡大図。ここで表示されている波形は実際に取り外しパッド２２から検出された波形若しくは大型液晶１４に表示されたグラフ情報を示す。以下、図４ないし図６で同じ。）を指定する。前記もみボタン１５２ｂは平均して緩やかな傾きを有するもみ波形（図４（ｂ）を参照、同図（ｂ）´は同図（ｂ）の円で特定した部分の拡大図）を指定する。前記押しボタン１５２ｃは、もみよりさらに緩やかな傾きを有する押し波形（図４（ｃ）を参照、同図（ｃ）´は同図（ｃ）の円で特定した部分の拡大図）を指定する。前記バイブボタン１５２ｄはたたきよりさらに短い間隔のバイブ波形（図４（ｄ）を参照、同図（ｄ）´は同図（ｄ）の円で特定した部分の拡大図）を指定する。前記ウェーブボタン１５２ｅはもみ若しくは押しと同様に緩やかな傾きとなって振幅を大きくしさらに緩やかに振幅を小さくするウェーブ波形（図５（ｅ）を参照、同図（ｅ）´は同図（ｅ）の円で特定した部分の拡大図）を指定する。前記ポイント／ワイドボタン１５２ｆは１回の通常パルスを発生させるポイント（図５（ｆ）を参照）と１回の通常パルスを発生させた後１回目とは逆の極性のパルスを発生させるワイド（図５（ｇ）を参照）との切り替えを指定する。
【００３７】
前記たたき波形１５２ａ、もみ波形１５２ｂ、押し波形１５２ｃ、バイブ波形１５２ｄ及びウェーブ波形１５２ｅを発生させていても所定期間は各時点で制限された振幅のみのパルスしか発生させず時間が経過する毎に制限を解き制限された振幅を大きくするソフト処理をソフトボタン１５２ｇは指定する（図６（ａ）をたたき波形とし、このたたき波形にソフト処理を施したものが図６（ａ´）であり点線部分が制限された部分である。たたき波形と同様にもみ波形にソフト処理をしたものを例示した図が図６（ｂ´）であり、図６（ｂ）はソフト処理する前のもみ波形である。）。１２００Ｈｚボタン１５２ｈは波形の周波数を１２００Ｈｚに指定する。塗りつぶし三角矢印上ボタン１５２ｉ及び塗りつぶし三角矢印下ボタン１５２ｊは波形の周波数を増減させることを指定する。
【００３８】
前記マッサージ情報部１５２ｍ中のスイッチは、複数あるマッサージ情報の中の一のマッサージ情報の特定を指定する選択ボタン１５２ｍｉ、指定したマッサージ情報に基づいて治療用信号を発生させるように指定する再生ボタン１５２ｍｉｉ及び作成したマッサージ情報を登録することを指定する記録ボタン１５２ｍｉｉｉがある。
【００３９】
前記子機設定部１５２ｎのスイッチは、複数ある子機の特定を指定する子機特定ボタン（図中では子機Ａの特定を指定するＡボタン１５２ｎｉ及び子機Ｂの特定を指定するＢボタン１５２ｎｉｉ）、使用者が各種ボタンによって特定した既存マッサージ情報若しくはマッサージ情報を子機２に出力することを指定する設定ボタン１５２ｎｉｉｉがある。
【００４０】
前記自動コース部１５１及び個別選択部１５２以外のスイッチとしては、取り外し式パッド２２内のヒーターを投入して患部を温めることを指定するホットボタン１５５と、各子機２の低周波の強さを指定する低周波強弱ボタン（図中では子機Ａの低周波の強さを上下させることを指定する塗りつぶし三角矢印上ボタン１５３ａ及び塗りつぶし三角矢印下ボタン１５３ｂ、及び、同様の子機Ｂのためのボタン１５４ａ、１５４ｂがある）がある。
【００４１】
使用者は、前述した電源１６ａを入れて初期画面を表示させた後、既存マッサージ情報若しくは使用者マッサージ情報を選択する。既存マッサージ情報を選択する場合は、肩コースボタン１５１ａ、腰コースボタン１５１ｂ、手足コースボタン１５１ｃ、関節コースボタン１５１ｄ若しくは足裏コースボタン１５１ｅを押下し、続けてたたきコースボタン１５１ｆ、もみコースボタン１５１ｇ若しくは押しコースボタン１５１ｈを押下する。使用者がマッサージ情報を選択する場合は、マッサージ情報部１５２ｍの選択ボタン１５２ｍｉを押下して複数マッサージ情報の中から一のマッサージ情報を選択する。
【００４２】
予め、特定の子機２をアクティブにする子機特定ボタン１５２ｎｉ、１５２ｎｉｉを押下し、続けて、設定ボタン１５２ｎｉｉｉを押下することで、押下した子機特定ボタン１５２ｎｉ、１５２ｎｉｉに対応する子機２がアクティブとなって、例えば、Ａの子機２がアクティブになって大型液晶１４中の波形表示部分にＡの子機２に関する波形が表示されると共に、使用者に現在アクティブになっている子機を視認させるためＡという文字が同波形表示部分左下に表示される。このように特定の子機２をアクティブにした状態で、選択ボタン１５２みを押下することで、アクティブになっている子機２に既存マッサージ情報若しくは使用者マッサージ情報が親機１から子機２に出力される。
【００４３】
子機収納部１１、取り外し式パッドホルダー１２及び接続コード収納ポケット１３から、それぞれ子機本体２１、取り外し式パッド２２及び接続コード２３を取り出し、取り外し式パッド２２と接続コード２３の一端とを接続し、続けて、この接続コード２３の他端と子機本体２１とを接続する。子機２の組立てが完了した後に、取り外し式パッド２２を患部に当接して、スイッチ部２１ａを操作して、子機２の電源を投入する。子機２の電源を投入すると、子機２は出力された既存マッサージ情報若しくは使用者マッサージ情報に対応する治療用信号を出力し、この治療用信号により取り外し式パッド２２の周辺皮膚表面に低周波電流が流れる。
【００４４】
【発明の効果】
以上のように本発明においては、治療用信号生成手段を有する子機とこの子機を収納する親機とからなり、親機がマッサージ情報を登録し、当該マッサージ情報を子機に転送し、子機はこのマッサージ情報に基づいて動作しているので、持ち運びに便利な子機のみ独立して動作できると共に、所望のマッサージ情報を親機に登録して親機がこのマッサージ情報を子機に転送し、子機がこのマッサージ情報に基づいて動作するという親機と子機とが連携して高機能な機能を実現することができるという効果を奏する。
【００４５】
また、本発明においては、子機のみでなく親機も治療用信号生成手段を有して低周波を発生できるので、子機のようにバッテリの残量を気にしながら使用するということなしに使用できると共に、既にあるマッサージ情報で動作していたとしてもマッサージ情報を変更しながら使用でき、容易に自分に最適なマッサージ情報を登録することができるという効果を有する。
【００４６】
また、本発明においては、親機が子機毎にマッサージ情報を登録するので、使用者毎にマッサージ情報を登録して使用する場合に自分のマッサージ情報に基づいて動作させる以外に、複数の子機がある場合に同時に子機を使用する場合にそれぞれの子機にそれぞれの使用者のマッサージ情報を転送することができ、同時に異なる子機毎に異なる動作をさせることができ、使用者それぞれに最適な低周波を提供することができるという効果を有する。また、子機の転送したマッサージ情報が消失した場合にも、親機に子機毎のマッサージ情報が登録されているので、マッサージ情報を消失した子機に対して再びマッサージ情報を転送することができるという効果を有する。
【００４７】
また、本発明においては、親機に子機が収納される度に親機に登録されているマッサージ情報を子機に転送しているので、子機が親機に収納していない状態で親機にマッサージ情報を登録しても子機が収納されると自動的に現在親機に登録しているマッサージ情報が子機に転送され、必ず最新のマッサージ情報で子機が動作することができるという効果を有する。
【００４８】
また、本発明においては、あるタイミングで親機が子機それぞれに識別子を付与し、子機が当該識別子を表示しているので、固定的に子機がどの子機であるかということを使用者が意識することなく、複数の子機がある場合に特定の使用者が特定の子機を使用するだけでなく、どの子機を使用しても使用者毎のマッサージ情報に基づいて動作できる共に、現在どの子機にどのマッサージ情報が転送されているのかを使用者に対して明示することができるという効果を有する。
【図面の簡単な説明】
【図１】本発明の第１の実施形態に係る低周波治療器の外形斜視図である。
【図２】本発明の第１の実施形態に係る低周波治療器の機能ブロック図である。
【図３】本発明の実施例に係る低周波治療器の操作部の平面図である。
【図４】本発明の実施例に係る低周波治療器の大型液晶に表示されたマッサージ情報の波形である。
【図５】本発明の実施例に係る低周波治療器の大型液晶に表示されたマッサージ情報の波形である。
【図６】本発明の実施例に係る低周波治療器の大型液晶に表示されたマッサージ情報の波形である。
【図７】従来の低周波治療器の機能ブロック図である。
【図８】従来の低周波治療器の全体斜視図である。
【符号の説明】
１  親機
２  子機
１１  子機収納部
１２  取り外し式パッドホルダー
１３  接続コード収納ポケット
１４  大型液晶
１５  スイッチ類
１６  親機電気機器部
１６ａ  電源
１６ｂ  制御部
１６ｃ  記録部
１６ｄ  通信部
１６ｅ  充電回路
１７  ブザー
１８  操作部
２１  子機本体
２２  取り外し式パッド
２３  接続コード
２１ａ  操作用スイッチ
２１ｂ  ＬＥＤランプ
２１ｃ  子機電気機器部
２１ｄ  バッテリ
２１ｅ  子機制御部
２１ｆ  子機記録部
２１ｇ  パルス発生回路
２１ｈ  ヒータ
１１６ａ  電源  ３４
１１６ｃ  記憶手段
１２１ｇ  信号発生手段
１３０  治療信号  ２６
１３１  出力制御用スイッチ  １６
１３２  規制手段
１５１  自動コーススイッチ
１５２  個別選択スイッチ
１５２ａ  たたきボタン
１５２ｂ  もみボタン
１５２ｃ  押しボタン
１５２ｄ  バイブボタン
１５２ｅ  ウェーブボタン
１５２ｆ  ポイント／ワイドボタン
１５２ｇ  ソフトボタン
１５２ｈ  １２００Ｈｚボタン
１５２ｉ  三角矢印上ボタン
１５２ｊ  三角矢印下ボタン
１５２ｋ  ペンタパルスボタン
１５２ｌ  うなり周波数ボタン
１５２ｍ  マッサージ情報部
１５２ｍｉ    選択ボタン
１５２ｍｉｉ  再生ボタン
１５２ｍｉｉｉ    記録ボタン
１５２ｎｉ    Ａボタン
１５２ｎｉｉ  Ｂボタン
１５２ｎｉｉｉ    設定ボタン
１５３、１５４  強度スイッチ
１５３ａ  Ａの三角矢印上ボタン
１５３ｂ  Ａの三角矢印下ボタン
１５４ａ  Ｂの三角矢印上ボタン
１５３ｂ  Ｂの三角矢印下ボタン
１５５  ホットボタン
【図１】
2004215735.tif 000003
【図２】
2004215735.tif 000004
【図３】
2004215735.tif 000005
【図４】
2004215735.tif 000006
【図５】
2004215735.tif 000007
【図６】
2004215735.tif 000008
【図７】
2004215735.tif 000009
【図８】
2004215735.tif 000010